(57)【要約】  着用者が曝される病原菌の量を減少させるフェイスマスク（１０）が提供される。フェイスマスクは、有効な量の殺菌剤で処理された外層（３６）を有する本体を含む。その層はスパンボンド、メルトブローン又はコフォーム層のような不織布であることができ、そのような層の積層であることができる。そのような殺菌処理を有するフェイスマスクは、殺菌剤がなかったら同一となる、別のフェイスマスクと比べて病原菌の活動を減少させるという結果をもたらすことができる。【選択図】  図４
2009505788.tif 000002
【特許請求の範囲】
【請求項１】
呼吸のため空気を本体を通して吸い込めるように、使用者の口と少なくとも鼻の一部を覆って着用できるように形成された前記本体を含むフェイスマスクであって、
前記本体が、有効な量の殺菌剤を少なくとも１つ有する外層を含むことを特徴とするフェイスマスク。
【請求項２】
前記本体が、複数の層を含み、
それらの内少なくとも１層は、病原菌を非活性化させるのに有効な量の前記殺菌剤で処理されることを特徴とする請求項１に記載のフェイスマスク。
【請求項３】
前記少なくとも１層が、浸して絞る方法、スプレーする方法、インクジェット印刷する方法及びそれらの組み合わせからなるグループから選択された方法により前記殺菌剤で処理されたことを特徴とする請求項２に記載のフェイスマスク。
【請求項４】
前記殺菌剤が、前記外層に約０．０１から２０重量パーセントの間の量で存在することを特徴とする請求項１に記載のフェイスマスク。
【請求項５】
前記層が不織布ウェブであることを特徴とする請求項４に記載のフェイスマスク。
【請求項６】
前記不織布ウェブは、スパンボンドウェブ、スパンボンド／メルトブローン／スパンボンドウェブ及びウエットレイドポリエステルウェブからなるグループから選択されることを特徴とする請求項５に記載のフェイスマスク。
【請求項７】
前記不織布ウェブの下に薄い織物をさらに含むことを特徴とする請求項５に記載のフェイスマスク。
【請求項８】
キトサングリコレート（chitosan glycolate）、オクタデシルアミノジメチルトリメトキシシリルプロピルアンモニウムクロライド（octadecylaminodimethyl trimethoxysilylpropyl ammonium chloride）、Ｎ−アルキルポリグリコシド（N-alkyl polyglycoside）、ＰＧ−ヒドロキシエチルセルロースココジモニウムクロライド（PG-hydroxyethylcellulose cocodimonium chloride）、キシリトール、クエン酸、安息香酸、サリチル酸、酢酸、グルタル酸、ヨウ素、エチルヒドロキシエチルセルロース、ポリビニルピロリドン、ビニルピロリドン−酢酸ビニル共重合体（poly(vinyl pyrrolidone-co-vinyl acetate）、ポリビニルピロリドン−ヨウ素錯体、塩酸グアニジン及びソルビトール、アクリル共重合体化合物及びイソプロピルアルコール、酸化銅、銀・ナトリウム水素リン酸ジルコニウム（silver sodium hydrogen zirconium phosphate）、銀亜鉛ガラス（silver zinc glass）、硫酸バリウム並びにそれらの組み合わせからなるグループから選択された成分をさらに含むことを特徴とする請求項４に記載のフェイスマスク。
【請求項９】
前記殺菌剤が、０．０１から５．０重量パーセントの間の量のポリヘキサメチレンビグアニドであることを特徴とする請求項１に記載のフェイスマスク。
【請求項１０】
前記マスクが
ＡＳＴＭ  Ｆ−２２９９により測定した場合、８５％より大きい粒子フィルタ効果と、
ＡＳＴＭ  Ｆ−２１０１により測定した場合、８５％より大きいバクテリアフィルタ効果と、
ＡＳＴＭ  Ｆ−２１０１により測定した場合、８ｍｍ水／平方ｃｍ（約７８Ｐａ）より小さい微差圧と
を有することを特徴とする請求項９に記載のフェイスマスク。
【請求項１１】
前記殺菌剤は、ビグアニド、第４級アンモニウム化合物、第４級アンモニウムシロキサン、ポリ第４級アミン、含金属種及びそれらの酸化物、ハロゲン、ハロゲン離型材剤、ハロゲン含有ポリマー、臭素化合物、二酸化塩素、チアゾール、チオシアネート（thiocynates）、イソチアゾリン、シアノブタン、ジチオカルバマート、シオン、アルキルスルホスクシネート、アルキル−アミノ−アルキルグリシン、ジアルキル−ジメチル−ホスホニウム塩、セトリミド、過酸化水素、１−アルキル−１，５ジアザペンタン、塩化セチルピリジニウム、安定化酸化体、安定化過酸化物、硫化物、ビスフェノール、ポリフェノール、クエン酸、キトサン、アナタース型二酸化チタン、電気石、竹抽出物、ニーム油、ヒドロトープ、カオトロピック剤並びにそれらの組み合わせからなるグループから選択されることを特徴とする請求項１０に記載のフェイスマスク。
【請求項１２】
前記マスクの外表面に配置された抗病原菌薬剤を含むフェイスマスクであって、
前記薬剤が、クイックキル試験によって測定すると、広範囲の微生物の成長を急速に抑制し制御することを特徴とするフェイスマスク。
【請求項１３】
前記マスクがＭＲＳＡ黄色ブドウ球菌（ＡＴＣＣ＃３３５９１）、ＶＲＥ大便腸球菌（ＡＴＣＣ＃５１２９９）、カタラシス菌（Moraxella catarrhalis）（ＡＴＣＣ＃８１７６）、肺炎かん菌（ＡＴＣＣ＃４３５２）、カンジダアルビカンス（ＡＴＣＣ＃１０２３１）、ライノウイルス１Ａ（ＡＴＣＣ＃ＶＲ−１３６４）、インフルエンザＡ（ＡＴＣＣ＃ＶＲ−１４６９）からなるグループから選択された接種剤で害されるとき、前記マスクと接触後３０分以内に、前記マスクは、前記マスクの表面の病原菌が３ｌｏｇ１０の減少を示すことを特徴とする請求項１２に記載のフェイスマスク。
【請求項１４】
外層に配置された抗病原菌剤を含むフェイスマスクであって、
接触移転試験によって測定したした場合に、前記マスクの外表面から前記マスクと接触するような他の表面へと広範囲の微生物が接触移転することを、前記マスクが防ぐ又は最小化することを特徴とするフェイスマスク。
【請求項１５】
ＭＲＳＡ黄色ブドウ球菌（ＡＴＣＣ＃３３５９１）、ＶＲＥ大便腸球菌（ＡＴＣＣ＃５１２９９）、カタラシス菌（Moraxella catarrhalis）（ＡＴＣＣ＃８１７６）、肺炎かん菌（ＡＴＣＣ＃４３５２）、カンジダアルビカンス（ＡＴＣＣ＃１０２３１）、ライノウイルス１Ａ（ＡＴＣＣ＃ＶＲ−１３６４）、インフルエンザＡ（ＡＴＣＣ＃ＶＲ−１４６９）からなるグループから選択された接種剤の接触移転のおいて、前記マスクと接触後３０分以内に、前記マスクは３ｌｏｇ１０の減少を示すことを特徴とする請求項１４に記載のフェイスマスク。
【発明の詳細な説明】
【背景技術】
【０００１】
フェイスマスクは、ダスト及び他の有害な空中汚染物質を口や鼻を通して吸い込むことから着用者を保護することによって、様々な医療、工業及び家庭的応用において有用性を見出すことができる。フェイスマスクの使用は、病気の拡散を防ぐのを助けるためのヘルスケア産業において推奨される行為である。ヘルスケア提供者がフェイスマスクを着用すると、着用者から吐き出される空気がフィルターされることにより病人の間の感染を減らす助けとなり、環境中に吐き出される有害な有機体や他の汚染物質の数を減少させる。さらに、フェイスマスクは、吸入される空気から空気中の汚染物質及び微生物（microorganisms）をフィルターすることにより医療従事者を保護する。
【０００２】
鼻と口を覆うフェイスマスクの部分は、一般的に本体として知られる。マスクの本体は、素材のいくつかの層を含む。少なくとも１つの層は、それを通すことによって細菌（germs）及び他の汚染物質の通過を阻むが、使用者が快適に呼吸できるように空気の通過を許すフィルター材から構成される。マスクの多孔性は、どのくらい容易に空気がマスクを通り抜けるかということに関係し、もちろん、多孔性が高いマスクほど、呼吸がより容易である。本体は、また、多数の層を含むことによって、フェイスマスクに追加的な機能を提供することができる。例えば、フェイスマスクは、フィルター材の層の両サイドに素材の１つ又はより多くの層を含むことができる。より多くの成分が、追加的機能を提供するためにマスクに付着されることができる。
【０００３】
最近の重症急性呼吸器症候群（ＳＡＲＳ）の激増は、病原菌（microbes）が着用者によって吸入されないようにするため、そして不注意に他の表面又は手にマスクを接触させることにより病原菌が別の表面に移転しないようにするために、フェイスマスクに接触した病原菌を不活性にする殺菌性マスクに対する興味を上昇させた。
【発明の開示】
【０００４】
（概要）
フェイスマスクは、外表面と外表面と反対側に配置された内表面とが付いた本体を含むように提供される。フェイスマスクはまた、生存できる病原菌の数を減らすのに有効な量の少なくとも１つの殺菌剤を含む。殺菌剤は、フェイスマスクの最外層に配置することができる。殺菌剤は、また、追加層としてフェイスマスクに付加された薄い織物に配置することができるという利点がある。
【０００５】
殺菌剤は、グルコン酸クロルヘキシジン、クエン酸及びラウリル硫酸ナトリウム、ＰＨＭＢ並びにこの技術分野で効果的であるとして知られている他の薬剤を含む。
【０００６】
本説明及び図における参照文字の繰り返し使用は、本発明の同一又は類似の特徴又は要素を提供することを意図する。
【０００７】
（詳細な説明）
本発明の実施形態、図で例示された１つ又はより多くの実施例について、詳細な言及が今から行われる。それぞれの実施例は、本発明を説明することによって提供されるが、本発明の限定を意味するものではない。例えば、１つの実施形態の一部として例示され、記述された特徴は、他の実施形態と使用することができ、さらに第三の実施形態をもたらすことができる。本発明はこのような及び他の変形形態及び変更形態を含むということが意図される。
【０００８】
ここに言及された範囲と限界は、内部にあるすべての範囲、そしてまた規定された限界の下限以上又は上限以下にあるすべての数値を含む、ということが理解されるべきである。また、ここに言及されたすべての範囲は、言及された範囲に含まれるすべての部分範囲を含んでいる。例えば、１００から２００までの範囲はまた、１１０から１５０までの、１７０から１９０までの、及び１５３から１６２までの範囲を含む。さらに、ここに言及されたすべての限界は、言及された限界に含まれる他のすべての限界を含む。例えば、最大約７の限度はまた、最大約５の、最大約３の、及び最大約４．５の限度を含む。
【０００９】
１つの好適実施形態は、外表面１６と反対側に配置された内表面１８とが付いた本体１２を有するフェイスマスク１０を提供する。
【００１０】
。
図１は、１つの好適実施形態によるフェイスマスク１０の斜視図である。フェイスマスク１０は、フェイスマスク１０が着用されたときに、使用者１４（図２）の顔に面し、かつ接触するのに適するように形成された内表面１８を有する本体１２を含む。そのマスクは、複数の折り目２８を備えてもよく、伸長性部材２２もまた備えてよい。伸長性部材２２は、本体１２の上部縁取り材５２が着用者の鼻及び頬上部の輪郭にちょうど合うよう設定できるように提供される。伸長性部材２２は、長方形の横断面の金属片から好んで組み立てられるが、成形可能で展性の金属若しくは合金、プラスチック、又はそれらの組み合わせとすることができる。
【００１１】
図２は、使用者１４の顔に着用されたところを示す図１のフェイスマスク１０の斜視図である。本体１２は、平らなハーフマスク、ひだの付いたフェイスマスク、コーンマスク、カモノハシ型マスク、台形型マスク等というような、しかしそれに限定されることなく、様々な形及び幾何学模様とすることができる。図面に示された形は、例示することのみを目的とする。本体１２は、Bostock等による米国特許第６，４８４，７２２号に示されるように構成され、その全内容は、すべての目的に対しそれら全体において参照よってここに援用される。図２に示すように、フェイスマスク１０は、使用者１４の口及び鼻を環境から隔離することができる。フェイスマスク１０は、固定用部材２０によって使用者１４に付けることができ、それは一対の手で結ぶストラップ３８でもよく、使用者１４の頭（及びもし使用者１４が着けているならヘアキャップ４２）の周りに巻かれ、互いに結ばれる。しかしながら、固定用部材２０の他の形態が様々な好適実施形態によって採用されると理解されるべきである。手で結ぶストラップ３８の代わりに、例えば、フェイスマスク１０は、耳にかける輪（図４）、使用者１４の頭の周りを取り巻く弾力性のある帯、フックと輪形状の留め具配置（例えばベルクロ（登録商標）留め具）、又はフェイスマスク１０を直接ヘアキャップ４２に取り付けて連結するというようにできる固定用部材２０によって使用者１４に着用されることができる。
【００１２】
加えて、フェイスマスク１０の形状は、様々な好適実施形態によって異なる。この観点から、フェイスマスク１０は、使用者１４の両目、髪、鼻、のど、及び口を覆うように作ることができる。このように、本発明は、使用者の鼻及び口だけでなくそれに加えた範囲を覆うフェイスマスク１０を含む。フェイスマスク１０は、また、覆面、盾、シーリングフィルム、あごひげカバー等のようなフェイスマスク１０の形として知られているものの組み合わせを組み入れることができる。好適フェイスマスク及びフェイスマスクに組み込まれた形状は、例えば、次の米国特許第４，８０２，４７３号、第４，９６９，４５７号、第５，３２２，０６１号、第５，３８３，４５０号、第５，５５３，６０８号、第５，０２０，５３３号及び第５，８１３，３９８号に記載され、示されている。これらの特許の全内容は、すべての目的に対しそれら全体で参照よってここに援用される。
【００１３】
フェイスマスク１０の本体１２は、非弾性材料で作られる。あるいは、本体１２を組み立てるのに使われる材料は、本体１２が使用者１４（図２）の鼻、口及び／又は顔に渡って延びることができるように、弾性材料を含んでもよい。本発明のフェイスマスク１０は、フェイスマスク１０が１つ又は複数の方向に伸びることができるように弾性材料で作ってもよい。本体１２に組み込まれた弾性材料を使用すると、使用者１４の顔全体を覆うことができるようになり、使用者１４の様々な大きさの顔に適合させるのにより大きなフレキシビリティを提供する。あるいは、本体１２は、非弾性材料で作ってもよい。このように、フェイスマスク１０を組み立てる材料は、使用者１４の要求によって弾性又は非弾性の特徴を示す。
【００１４】
フェイスマスク１０の本体１２は、使用者１４（図２）の顔を耳から耳及び／又は鼻からあごに渡って伸びることができるように形成される。本体１２の伸長及び回復機能は、非弾性本体１２を有するフェイスマスク１０より、フェイスマスク１０により良い密着性及びより快適なフィット感を提供する。本体１２が伸長及び回復するために、本体１２は、少なくとも１つの伸長及び回復特性を持った層又は材料を有する。さらに、フェイスマスク１０全体が、他の好適実施形態において伸長及び回復特性を持つ材料で構成されてもよい。ある好適実施形態において、回復性の百分率は約１５％、伸長の百分率は約１５〜６５％の間であり、他の実施形態においては回復性の百分率は伸長の約２０〜４０％の間であり、さらに別の実施形態では回復性の百分率は伸長の約２５〜３０％の間である。
【００１５】
図３は、フェイスマスク１０の１つの好適実施形態の本体１２の内表面１８を示す。本体１２は、水平方向長さ２４と交差して広がる複数の折り目２８が設けられているのが通常である。折り目２８は、垂直方向長さ２６について本体１２の大きさを調整するため使用者１４によって広げられてもよい。折り目２８は、使用者１４の顔によりフィットさせること及び呼吸用の空洞を作ることを可能とするため、本体１２の調整を可能にする。本体１２は、ある好適実施形態において、使用者１４の顔を塞ぐ空洞の境界線と一体となって呼吸用空洞を形成してもよい。水平方向長さ２４全体にわたって広げたように示したが、折り目２８は本体１２のほんの一部を広げてもよい。さらに、折り目２８は、いくつ備えてもよく、本体１２のどんな向きにつけてもよい。例えば、折り目２８は、水平方向長さ２４と４５°の角度でつけてもよい。本体１２の垂直方向長さ２６に沿った折り目２８を、代わりに若しくは追加してつけてもよい。しかしながら、折り目２８は、本発明の実施において存在が要求されるものではなく、単に例示することを目的として示されたに過ぎないことが理解されるべきである。
【００１６】
縁取り材（図１及び３）４８及び５０は、折り目２８が広げられた時、本体１２の縁の垂直方向の広がりを制限するように働いてもよい。そのような場合、縁取り材４８及び５０は、本体１２の望ましい形を提供するのを助けるために存在する。さらに、縁取り材５２及び５４もまた、折り目２８が広げられた時、本体１２の縁の広がりを制限するように働いてもよい。これもまた、本体１２の水平方向及び垂直方向長さ２４及び２６の両方に沿った方向に折り目２８が設けられる場合である。このように、縁取り材５２及び５４もまた、本体１２の望ましい形を得るために採用される。
【００１７】
本体１２の折り目２８は、当業者に一般に知られているどんな形でもよい。図３は、本体１２の各々の側の縁取り材４８及び５０が折り目２８を広げさせるために使われることを示す。さらに、縁取り材５２は、本体１２の上端に置かれてもよく、縁取り材５４は本体１２の下端に置かれてもよい。縁取り材４８、５０、５２及び５４は、当業者に一般に知られているどんな形でもよい。
【００１８】
図４に、複数の層３２、３４及び３６で作られた本体１２を示す。層３２は、本体１２の内層であってもよく、その場合内表面１８と定義される。層３６は、防護的で、本体１２のフィルターに乗った外層としてもよく、その場合外表面１６として定義される。さらに、層３４は、層３２と３６との間に置かれる中間層としてよい。しかしながら、ここの説明によると本体１２は何層で作られてもよいということが理解されるべきである。例えば、本体１２は１つの好適実施形態によると１層で作ることができる。あるいは、本体１２は様々な実施形態によると、３層、５層、７層、１０又は１５層で作ることができる。
【００１９】
中間層３４は、図４に示す様に、本体１２を通るとき病原体（pathogens）の通過を防止する一方で、なお使用者１４（図２)が呼吸できるようにするため空気を通過させるように形成されるフィルター媒質であってもよい。
【００２０】
層３２、３４及び３６は、当業者に知られている様々な材料から組み立てることができる。本体１２の層３６は、内部のフィルター媒質が物理的ダメージを受けることを防ぎ、スパンボンド、メルトブローン、若しくはコフォーム（coform）不織布ウェブ、梳繊接合ウエブ（bonded carded web）、ウエットレイドポリエステルウエブ（wetlaid polyester web）又はフィルターとして機能しないウエットレイド合成物のような、不織布ウェブであってよい。本体１２の層３６及び層３２は、ネックド不織布ウェブ（necked nonwoven web）又はリバーシブリィネックド不織布ウェブ（reversibly necked nonwoven web）であってよい。層３２、３４及び３６は同じ材料又は異なる材料で作ってもよい。薄い織物層（示していない）は、フェイスマスクの最外層の下に置かれてもよい。
【００２１】
多くのポリオレフィンは、不織布ウェブの生産に利用可能であり、例えば、Dow ChemicalのASPUN（登録商標）6811Aライナーポリエチレン、2553LLDPE及び25355、ならびに12350ポリエチレンのようなポリエチレンは、そのような用途に適切なポリマーである。ポリプロピレンで作られた繊維は、例えば、Exxon Chemical CompanyのEscorene（登録商標）PD 3445ポリプロピレン及びBasellのPF-304を含む。当業者に知られているように、他のたくさんの適切なポリオレフィンが市販されている。他の熱可塑性の樹脂もまた使うことができ、ポリエステル、ナイロン、ポリ乳酸、ポリグリセリン酸及びそれらの共重合体、本質的にフッ素化されたポリエチレン−ポリプロピレン共重合体（FEP)やフッ化ビニリデン（PVDF）といったようなフッ素化した熱可塑性樹脂を含む。
【００２２】
フェイスマスク１０の組み立てに使われる様々な材料は、ネックト゛不織布ウェブ、リーバーシブリィネックト゛不織布材料、ネックボンデットラミネート（neck bonded laminate）、及び可塑性コフォーム材料、可塑性メルトブローン不織布ウェブ、複数の可塑性フィラメント、可塑性フィルム、又はそれらの組み合わせのような可塑性材料を含んでよい。そのような可塑性材料は、例えば、Strack等による米国特許第５，６８１，６４５号、Levy等による米国特許第５，４９３，７５３号、Anderson等による米国特許第４，１００，３２４号、及びShawver等による米国特許第５，５４０，９７６号において、合成物に組み込まれてきたもので、これら特許の全内容は、すべての目的に対しそれら全体で参照よってここに援用される。可塑性フィルムが本体１２の表面又は内部に使われる好適実施形態において、そのフィルムは、もしフェイスマスク１０がこの場合に呼吸しやすいように望まれたら、使用者１４（図２）が本体１２を通して呼吸できることを確実にするのに十分な孔を空けてもよい。
【００２３】
中間層３４はフィルター層として適切に構成され、メルトブローン不織布ウェブであってもよく、エレクトレットで処理する実施形態もある。エレクトレット処理は中間層３４に電荷を加える結果となり、電気量の力で、フィルターされる粒子を中間層３４に向かって引き寄せることによって、さらにフィルター効果を増加させる。エレクトレット処理は、たくさんの異なる技術によって実行することができる。１つの技術はTsai等による米国特許第５，４０１，４４６号に記載されており、その全内容は、すべての目的に対しそれら全体で参照よってここに援用される。エレクトレット処理の他の手段は、Kubik等による米国特許第４，２１５，６８２号、Wadsworthによる米国特許第４，３７５，７１８号、Nakaoによる米国特許第４，５９２，８１５号及びAndoによる米国特許第４，８７４，６５９号に記載されているように、当該技術分野で知られており、これら特許の全内容は、すべての目的に対しそれら全体で参照よってここに援用される。
【００２４】
中間層３４は、W.L.Gore & Associates社によって製造されるもののような膨張ポリテトラフルオロエチレン（PTFE）膜で作られてもよい。そのような材料の組み立て及び効力のより完全な記述は、Goreの米国特許第３，９５３，５６６号及び米国特許第４，１８７，３９０号に見つけることができ、これら特許の全内容は、すべての目的に対し全体として参照によってここに援用される。膨張ポリテトラフルオロエチレン膜は、多分子層複合材に組み込まれてもよく、不織布ウェブ外層３６、伸ばしたり引っ込めたりできる層、及び不織布ウェブを含む内層３２を含むが、それらに限定されない。
【００２５】
ＳＭＳは、層３２、３４及び３６を含むものである。ＳＭＳとは、スパンボンド繊維で作られた２つのスパンボンド層の間にメルトブローン繊維を入れることで作られる材料である。スパンボンド繊維は小さな直径の繊維であり、それらは、多数の細かい、通常は円管状の紡糸口金から溶融した熱可塑性材料を単繊維として押し出し、押し出された単繊維の直径がその後急速に繊維に変わることにより作られ、その方法は、例えばAppel等による米国特許第４，３４０，５６３号、Dorschner等による米国特許第３，６９２，６１８号、Matsuki等による米国特許第３，８０２，８１７号、Kinneyによる米国特許第３，３３８，９９２号及び米国特許第３，３４１，３９４号、Hartmanによる米国特許第３，５０２，７６３号、Dobo等による米国特許第３，５４２，６１５号にあり、それらの全内容は、すべての目的に対し全体として参照によってここに援用される。スパンボンド繊維は連続的であることが普通で、約７マイクロメートル以上、より詳細には１０から４０マイクロメートルの間の直径を持つことが普通である。メルトブローン繊維は、複数の細かい、通常は円管状のダイ（die）の毛細管から、溶融した熱可塑性材料を押し出すことによって作られる繊維であり、溶融した糸又は単繊維は、高速で、通常は高温の収斂した気流（例えば空気）に乗り、溶融した熱可塑性材料の単繊維を細くし、その直径を減らし、マイクロファイバーの直径にする。その後、メルトブローン繊維は、高速気流で運ばれ、集積面に堆積し、メルトブローン繊維が交絡したウェブを作る。そのような過程は、例えば、Butin等の米国特許第３，８４９，２４１号において開示されており、その全内容は、すべての目的に対し全体において参照としてここに援用される。メルトブローン繊維は、直径が通常１０マイクロメートル未満の連続的又は非連続的なマイクロファイバーである。
【００２６】
フェイスマスク１０の複数の層は、粘着性の結合材、熱結合材、又は超音波結合材を含む様々な方法で結合できる。３層３２、３４及び３６を有するものとして示されているが、本発明の他の好適実施形態において、本体１２及び／又は全フェイスマスク１０は何層で作られてもよいということが理解されるべきである。
【００２７】
殺菌処理がすべてのタイプのフェイスマスクに適用されるところ、特に外科用及び感染防止用フェイスマスクは有効である。外科用及び感染防止用フェイスマスクは、ＡＳＴＭ  Ｆ２１０１による測定で約８５〜９０％以上のバクテリアフィルター効果（ＢＦＥ）を有する。より詳細には、該マスクは、約９５％以上のＢＦＥを示す。さらに詳細には、該マスクは約９９％以上のＢＦＥを有する。フェイスマスクは、製品の快適な呼吸を確保するためにＡＳＴＭ  Ｆ２１０１による測定で８ｍｍ水／ｃｍ２（約７８Ｐａ）以下の圧力差を示す。望ましくは、圧力差は５ｍｍ水／ｃｍ２（４５Ｐａ）以下、より望ましくは２．５ｍｍ水／ｃｍ２（約２３Ｐａ）以下である。該フェイスマスクは、ラテックスパーティクルチャレンジングテスト（Latex Particle Challenge testing）（ＡＳＴＭ  Ｆ２２９９）による測定で約８５〜９０％以上の粒子フィルター効果（ＰＦＥ）を有する。より詳細には、ＰＦＥは９５％以上である。さらに詳細には、ＰＦＥは９９％以上である。フェイスマスクは、ＡＳＴＭ  Ｆ１８６２による測定において、合成血液に対して約８０ｍｍＨｇ（約１０６００Ｐａ）以上の流動性浸透抵抗を有する。より詳細には、該マスクは、約１２０ｍｍＨｇ（約１６０００Ｐａ）以上の流動性浸透抵抗を示す。さらに詳細には、該マスクは、約１６０ｍｍＨｇ（約２１３００Ｐａ）以上の流動性浸透抵抗を示す。
【００２８】
本発明の殺菌剤は、フィルター層ではなく、フェイスマスクの最外層にあってもよい。最外層に殺菌剤を置くことは、病原菌のマスクの透過を防ぐことに加えて、接触による病原菌の移転を減らすという追加的利益がある。さらに、マスクの外層に殺菌剤を置くことは、殺菌剤がマスクを通って着用者に吸入されるという可能性を減らす。
【００２９】
ここで使われる殺菌剤（germicidal agent)という用語は、病原菌を殺す（非活性化させる）又は病原菌の成長を緩める化学物質又はその他の物質のような抗病原菌剤（antimicrobial agent）を意味する。今日使われている抗病原菌剤の中には、抗バクテリア剤（バクテリアを殺す）、抗ウイルス剤（ウイルスを殺す）、抗菌剤（菌類を殺す）、及び抗寄生虫薬剤（寄生虫を殺す）がある。抗病原菌剤は、消毒剤（disinfectants）（殺生剤（biocides））及び治療用の薬剤（抗生物質）に覆われてもよい。
【００３０】
有効な殺生剤の化学物質のいくつかの例は、ビグアニド（ポリヘキサメチレンビグアニド、クロルヘキシジン、アレキジン、及びそれらの適切な塩のような物）、第四級アンモニウム化合物（塩化ベンザルコニウム、セトリミド、塩化セチルピリジウム、第四級セルロース及び他の第四級ポリマーのような物）、第四級アンモニウムシロキサン、ポリ第四級アミン；含金属種及びそれらの酸化物（粒子形状の中にあるか又は支持基盤若しくはポリマーに組み込まれている）；ハロゲン、ハロゲン離型剤若しくはハロゲン含有ポリマー、臭素化合物、二酸化塩素、チアゾール、チオシアネート、イソチアゾリン、シアノブタン、ジチオカルバマート、シオン、アルキルスルホスクシネート、アルキル−アミノ−アルキルグリシン、ジアルキル−ジメチル−ホスホニウム塩、セトリミド、過酸化水素、１−アルキル−１，５ジアザペンタン、又は塩化セチルピリジニウム、二酸化塩素のような安定化酸化体、安定化過酸化物（過酸化水素、過酸化マニトールのような物）、硫化物（メタ重亜硫酸ナトリウムのような物）、ビスフェノール（トリクロサン、ヘキサクロロフェンのような物）、様々な「自然に生じた」薬剤（緑茶又は紅茶の抽出物中のポリフェノール、クエン酸、キトサン、アナタース型二酸化チタン、電気石、竹抽出物、ニーム油のような物）；ヒドロトロープ（強い分散剤）及びカオトロピック剤（アルキルポリグリコシド）並びにそれらの組み合わせを含む。
【００３１】
基材の化学的性質（ポリオレフィン対セルロースを基礎とする材料）及び生成物に組み込む方法（局所対グラフト）によって、上記化学物質の多くは単独で又は協調して使用されて、最終的に特許請求の範囲に記載の生成物の所要の特性に達する。
【００３２】
殺菌剤は有効な量でフェイスマスクに存在する。有効な量という用語は、同じ方法を用いてテストした時に、殺菌剤を含まない同種のフェイスマスクと比べて、殺菌剤を有するフェイスマスクは、病原菌の生存レベルが低くなるということを意味する。
【００３３】
殺菌剤を有するフェイスマスクは、急速に病原菌の増殖を抑制し制御する。これは、下記の液体小滴テストによって測定すると接触後３０分で少なくとも１Ｌｏｇ１０の大きさで広範囲の微生物が減少することを意味する。より詳細には、３０分以内に３Ｌｏｇ１０の率で微生物濃度が減少（すなわち、材料１グラムあたりのコロニー形成単位（ＣＦＵ／ｇ）で１０３分の１に減少）するという結果になる。さらに詳細には、３０分以内に４ｌｏｇ１０又はそれ以上の率で微生物濃度が減少するという結果になる。液体小滴試験は、「クイックキル」試験としても知られており、殺菌剤で処理された層に接触した液体中の病原菌が、どのような比率で及びどのくらい早く殺されるかという指標を与える。
【００３４】
「広範囲の微生物」はグラム陽性及びグラム陰性のバクテリアを含み、それらの耐性のある系統を含み、例えば、メチシリン耐性黄色ブドウ球菌（ＭＲＳＡ）、バンコマイシン耐性腸球菌（ＶＲＥ）及びペニシリン耐性肺炎球菌（ＰＲＳＰ）株の系統である。より詳細には、それは、すべてのバクテリア（グラム陽性、グラム陰性及び耐酸性の系統）及びカンジダアルビカンスのような酵母菌をを含む。さらに詳細には、すべてのバクテリア（グラム陽性、グラム陰性及び耐酸性）、酵母菌、並びに、人インフルエンザ、ライノウイルス、ポリオウイルス、アデノウイルス、肝炎、ＨＩＶ、単純ヘルペス、ＳＡＲＳ、及び鳥インフルエンザのような、外皮のあるウイルス及び裸のウイルスの両方を含む。
【００３５】
テストに使用される病原菌は、２５ｍＬの適切な液体培地に入れて、約２４±２時間、３７±２℃でリストアクションシェーカーを使って培養される。バクテリアの培養菌は、その後約１００μＬに等分して２５ｍＬの液体培地に移され、再び約２４±２時間、３７±２℃で培養される。この有機体は、その後遠心分離され、リン酸緩衝生理食塩水（ＰＢＳ）で３度洗浄される。この有機体は、その後ＰＢＳ中に懸濁され、おおよそ１×１０８ＣＦＵ／ｍＬの接種剤を得る。
【００３６】
試験品と対照試験用スワッチは、テスト前に片面ごと約５〜１０分間紫外線源に曝され、両スワッチがバクテリアの接種の前に衛生的であることを保証する。試験材料を、規定の時間、接種材のテスト用バクテリアの既知の個体群と接触させる。サンプルは、暴露時間が終わるまで培養され、生き残ったバクテリアを数え上げる。次の式により、対照試験用材料と初期個体群数からｌｏｇ１０減少を計算する。
ｌｏｇ１０対照*−ｌｏｇ１０ＣＦＵ／スワッチ 試験品＝ｌｏｇ１０減少
*対照試験用スワッチからのＣＦＵ／スワッチ又は理論上のＣＦＵ／スワッチ
【００３７】
所定の時間（１０〜３０分）フェイスマスクの処理片の表面にバクテリアを曝した後、基材はフラスコ中に置かれ、緩衝液が加えられ、どのくらい生き残るか調べるためにそれらを培養するのに先立ち、微生物を基材から抽出する。この緩衝液は、抗病原菌剤を非活性化又は「中和」させる薬品を含み、（ａ）活性化剤が所定の時間経過後に有機体を殺すことを止める、（ｂ）増加するかもしれない人工産物が、単に基材というよりも溶液中の抗病原菌剤に有機体を曝すのを防ぐ。抗病原菌剤として使われる化学薬品はそれぞれ異なるので（すなわち、陽イオン性、非イオン性、金属等）、試験の所定の終了時間に抗病原菌剤の活動を停止させるために、異なる中和剤がそれぞれの場合に応じて加えられる傾向にある。これらの中和剤は事前に選別され、中和剤が有機体に影響せず、抗病原菌剤の殺生効果を十分に中和することを保証する。採用される中和剤は、この分野で共通に使用されるリストから選んでもよい。これらには、非イオン系洗剤、重硫酸塩、レシチン、リーゼン培養液（leethen broth）、チオ硫酸塩、チオグリコレート、及びｐＨ緩衝液が含まれ、「American Society for Testing and Materials, Standard Practices for Evaluating Inactivators of Antimicrobial Agents Used in Disinfectant, Sanitizer, Antiseptic, or Preserved Products（Amer. Soc. Testing Mat. E 1054-91, 1991）」に記載された方法と同様の方法を使用することができる。
【００３８】
この液体小滴試験において、緩衝生理食塩水中に懸濁した微生物（６．５〜７Ｌｏｇ１０全量）が、抗病原菌剤でコーティングされた又はされない状態で基材に置かれる。病原菌の懸濁液（バクテリアに対して２５０μＬ；ウイルスに対して２００μＬ）は、テフロン（登録商標）の拡散器具を使って、１分間で３２ｃｍ２の範囲に広げられる。広げた後、基材を特定の接触時間置いておく。接触時間に続いて、基材を適切な中和剤の中に入れ、徹底的に振り混ぜる。この中和剤からサンプルを採り、上記の適切な媒体で培養され、回収した生存する病原菌の数を得る。処理していない基材から回収した病原菌の数を、処理した基材から回収したものの数と比べ、抗病原菌剤のコーティングの効果を決定する。これは、バクテリア及びウイルス並びに表３、４及び５に示されたデータを使って実行される。
【００３９】
エアロゾル試験は、液体小滴試験と同様の目的であるが、病原菌はエアロゾル形態で運ばれる。このデータは表６に示される。
【００４０】
エアロゾル試験において、直径７．５ｃｍのサンプルが、少なくとも１０６ＣＦＵの病原菌を含んだエアロゾルに、２分間、毎分３０リットルでサンプルを通過する流れを生む毎分２２フィート（６７０ｃｍ／ｍｉｎ）の空速でかけられる。レチーン（letheen）液体培地の中にサンプルを置き、一分間振ってすべての病原菌を取り出し、分析流体に対して標準的な平板計数を行うことによって、２分後、サンプル上に生存している病原菌の数が決定される。
【００４１】
接触移転試験は、汚染された基材の表面から生きている病原菌がどのくらい移動するかを調べる測定方法である。これは、病原菌を含む処理済の基材に不注意に接触すること、例えば、フェイスマスクに別の表面が接触することによる汚染物質の伝播に対する潜在能力の指標を与える。ここに教示されたような殺菌剤を有するフェイスマスクもまた、病原菌の接触移転を防ぐ又は最小化する。これは、以下に概説する接触移転試験によって測定すると、別の表面と接触したときの広範囲の生存する微生物の移転は、未処理の対照品と比べて、１ｌｏｇ１０の減少をもたらすべきということを意味する。より詳細には、生存する微生物の移転は、３ｌｏｇ１０の率で減少をもたらすべきである。さらに詳細には、ｌｏｇ１０４かそれ以上の率で移転する生存微生物の減少をもたらすべきである。
【００４２】
接触移転試験において、緩衝生理食塩水の中に懸濁した微生物（６．５〜７ｌｏｇ１０全量）は、抗病原菌剤でコーティングされた又はされていない基材の上に置かれる。病原菌の懸濁物（バクテリアに対して２５０μＬ；ウイルスに対して２００μＬ）は、テフロン（登録商標）の拡散器具を使って、１分間で３２ｃｍ２の範囲に広げられる。広げた後、基材を特定の接触時間置いておく。接触時間に続いて、基材を反対にし、豚皮の上に１分間置かれる。皮に乗せている間、〜７５ｇの重りをとぎれないように皮の上の基材に平らに乗せる。皮の上に乗せて１分後、基材は取り除かれ、適切な中和剤の中に置かれ、徹底的に振り混ぜられる。サンプルは中和剤から取り出され、適切な媒体の上で培養され、回収された生存する病原菌の数を得る。未処理の基材から回収された病原菌の数と処理済の基材から回収された数を比べ、抗病原菌剤のコーティングの効果を測定する。未処理と処理済の基材から豚皮に移転した病原菌の違いを調べるために、緩衝抽出液の２ｍＬ部分を２つ、基材と接触した皮の上に置いた。皮の表面はテフロン（登録商標）の拡散器具を使ってこすり落とされ、こすり落とした後に、２ｍＬ部分はそれぞれ集められた。皮から集められた抽出剤は、その後、基材と同様な方法で、生存する病原菌の数について分析された。接触移転の減少の有効性は、未処理の基材と接触した皮から抽出された病原菌の数と処理済の基材と接触した皮から抽出された数を比較することによって測定された。接触移転試験の結果は、表７で与えられる。
【００４３】
表１はフェイスマスクの処理に使うことのできる様々な殺生剤及び加工助剤の概要である。それは一般名称又は商品名、及び化学名も載せている。第４級アンモニウム化合物は、Ａｅｇｉｓ(商標） ＡＥＭ ５７００（Dow Corning, Midland, Ml）及びＣｒｏｄａｃｅｌ ＱＭ（Croda, Inc., Parsippany, NJ）の名で市販されている。界面活性剤アルキル−ポリグリコシドは、Ｇｌｕｃｏｐｏｎ（登録商標） ２２０ ＵＰ（Cognis Corp, Ambler, PA）の名で市販されている。キトサングリコレート（chitosan glycolate）は、Ｈｙｄａｇｅｎ ＣＭＦ及びＨｙｄａｇｅｎ ＨＣＭＦ（Cognis Corp., Cincinnati, OH）の名で手に入る。これらの化合物は、ＰＨＭＢの効能を著しく高めることができる。ここに記載された殺生剤は、単独で又は組み合わせて使用できる。
【００４４】
表１  活性試薬及び加工助剤の表
【表１】
2009505788.tif 000003
【００４５】
＊内部溶融添加剤として使用される。これらの添加剤は、一般的に熱可塑性樹脂（例えば、ポリプロピレン（ＰＰ））の中で混ぜ合わされ、濃縮物を生産し、その後それは未使用樹脂と乾燥混合され、共押し出しされ、その添加剤を含んだ繊維及びウェブを生産する。そのような添加剤を含有する繊維及びウエブを作成する。この添加剤は、通常、その繊維の大部分に渡って分布し、その繊維の表面に十分な量の添加剤が存在し、抗病原菌的活性を与える。繊維の表面に存在する添加剤の濃度は、いくつかの要因に依存し、その要因は、樹脂の主要部又は樹脂の種類に関係する溶融物中の添加剤濃度、進行状況及び熱過程、樹脂の結晶性、並びに樹脂と添加剤の相対的熱力学的相溶性を含む。添加剤は、加工のため溶融物中で熱可塑性樹脂と相溶性を持たなければならないと理解され、そしてなお、添加剤は熱可塑性繊維の表面にある程度の広がって移動するために、樹脂に取り囲まれた状態では相溶性が低いことが望ましい。アモルファス化合物のような加工助剤は、添加剤が繊維の表面に移動しやすくなるように主な樹脂に加えることができる。ＰＨＭＢのような他の活性剤は、様々な他の熱可塑性樹脂と混ぜ合わせ及び共押し出しすることができるということもまた理解される。
【００４６】
第２の活性な抗病原菌剤があってもよく、第４級アンモニウム化合物、第４級アンモニウムシロキサン、ポリ第４級アミン；粒子形状の中又は支持基盤若しくはポリマーに組み込まれている、金属を含む種及びそれらの酸化物；ハロゲン、ハロゲン離型剤若しくはハロゲン含有ポリマー、臭素化合物、二酸化塩素、チアゾール、チオシアネート、イソチアゾリン、シアノブタン、ジチオカルバマート、シオン、トリクロサン、アルキルスルホスクシネート、アルキル−アミノ−アルキルグリシン、ジアルキル−ジメチル−ホスホニウム塩、セトリミド、過酸化水素、１−アルキル−１，５ジアザペンタン、又は塩化セチルピリジニウムを含んでもよい。
【００４７】
表２は、表１に載せられた試薬の様々な組み合わせを含む多数の実施例の概要である。それぞれの試薬は、調合物の有効成分の重量パーセント（ｗｔ％）の点から提供される。それぞれの調合物は、その後水溶液で薄められ、望ましい量の活性剤がマスクに組み込まれる基材に適用できるようになる。個々の構成要素は一般名称又は商業ブランド名を使って載せてあるが、本発明を特定の商業上の実施形態又は調合剤に限定する物と解釈されるべきではない。表２の組成の実施例は、有機体又は非有機体に対する局所的なコーティングとして使用することができ、それぞれが、約１５〜３０分以内にコロニー形成単位（ＣＦＵ／ｍＬ）（ＣＦＵ／ｇ）で少なくとも約３ｌｏｇ１０減少させる効果がある。合成物は、約１０分以内で、場合によっては５分以内で病原菌を殺す即効性を有することが望ましい。
【００４８】
ＰＨＭＢがすべての組成物の構成成分であると同時に、実施例１〜６は、少なくとも２つか３つの他の補助活性抗病原菌剤又は加工助剤の混合物を含む調合剤を例示する。実施例７〜１３はＰＨＭＢを顕著なレベルで（活性なものの重さに基づき７０〜７５ｗｔ％以上）含む調合物を示す。実施例１４〜２６は中レベルのＰＨＭＢを含む。提示されたいくつかの抗病原菌剤の性質に加えて、第４級アンモニウム化合物及び界面活性剤は、処理済の基材材料を湿らせるのに役立つ。このことは、組み合わせて使用するときに、基材上のＰＨＭＢがより均一に処理された表面を提供する助けになりうるだろう。材料の表面にある抗病原菌剤の有効な半数に、目標とする有機体がより近接し及び接触するようになるのを、材料の増加した湿り気が許すとも考えられる。アルコールもまた、材料の抗病原菌剤の特性に同様の効果を引き起こす。溶液で処理された材料は、様々な薬剤と組み合わせて、ＰＨＭＢ単独で使うよりも大きな有機体殺生効能を示す。
【００４９】
表２Ａの実施例２７〜３１は、即効性の局所組成物を遅効性の殺生剤と結びつけたもので、基材の表面上に埋め込んでいるか、ポリマーを基にした不織布繊維に溶け込んでいる。２種類の抗病原菌剤の調合物は、相補的な仕方で働く。即効性の局部抗病原菌組成物は、抗病原菌剤で処理された基材と接触するどんな病原菌に対しても鋭く、迅速な反応（すなわち、動けなくする、殺す）を提供し、基材に埋められた又は組み込まれた遅効性の殺生剤は、少なくとも付加的に６〜１２時間、より一般的には約２４時間という長時間にわたって防護レベルを維持する。
【００５０】
表２  抗病原菌組成物の実施例の例示
【表２】
2009505788.tif 000004
2009505788.tif 000005
【００５１】
表２Ａ  殺生剤の局部及び内部溶融付加を含む組成物の実施例の例示
【表２Ａ】
2009505788.tif 000006
【００５２】
ある実施形態においては、抗病原菌性組成物は、バクテリアとウイルスとの両方に対して働く殺生活性剤の組み合わせを含む。例えば、実施例１〜６のように、組成物は、ＰＨＭＢ＋クエン酸＋ベンゾアート＋「分散剤」（例えば、Ｎｉｃｅｐｏｌ ＦＬ、Ｇｌｕｃｏｐｏｎ）を含んでもよい。その組成物は、約２から約５又は６の範囲のｐＨを持つ。望ましい、特別な環境の使用状態によると、好ましいｐＨの範囲は、約２．５〜４、又は２．５〜３．５である。実施例１、３、２２、及び２３は、アクリル共重合体合成物とイソプロピルアルコールを含み、それは、医療用布に一般に見られるように、不織布を処理するために有効な静電防止剤として役立つ。ある実施形態においては、セレンと塩の誘導体などのような強力な抗酸化剤の添加によって、殺菌力がさらに大きくなる。
【００５３】
抗病原菌剤の組成物は、人に対して無臭とすべきである。この特徴はフェイスマスク及び鼻にきわめて近接する他の基材にとって重要である。
【００５４】
表３〜７のデータを得るために試験された基材は、基準重さが０．９ｏｓｙ（３０．５ｇ／ｍ２）のスパンボンドポリプロピレン布であった。表３〜８に記載された実施例においては、スパンボンド布は、様々な組成物で浸透処理技術を使って処理された。例示したように、続く取り組みは、表２に示されたように実施例１８によって記述された組成物で処理された基材を作ることだった。実施例１８の活性剤の組成物は、２０ｗｔ％ＰＨＭＢ、７５ｗｔ％クエン酸、及び２０ｗｔ％Ｇｌｕｃｏｐｏｎ ２２０ ＵＰからなる。この相対比は、次のように達成され、水で薄められる。２．５ｗｔ％Ｃｏｓｍｏｃｉｌ  ＣＱ（０．５ｗｔ％ＰＨＭＢ）＋７．５ｗｔ％クエン酸＋２ｗｔ％Ｇｌｕｃｏｐｏｎ ２２０ ＵＰ＋８８．０ｗｔ％水を含む５００ｍＬの調合水が用意された。後に明らかとなるように、このレベルの希釈は、スパンボンドウェブに負荷される望ましい量の個体を得るために選ばれた。その調合水は、その後、実験室用攪拌器（Ｃａｆｒａｍｏ社製Ｓｔｉｒｒｅｒ ＲＺＲ ５０、Ｗｉａｒｔｏｎ、Ｏｎｔａｒｉｏ、Ｃａｎａｄａ）を使って約２０分間完全に混合された。組成水（又は溶液）は、混合され均質にされた後、テフロン（登録商標）コート又はガラスの皿に注がれた。そして、例によって、８インチ×１１インチ（約２０ｃｍ×約２８ｃｍ）のハンドシート基材が、浸透させるため溶液に浸された。完全に浸透させた後、その基材は、イリノイ州、シカゴ、Ａｔｌａｓ Ｅｌｅｃｔｒｉｃａｌ Ｄｅｖｉｃｅ社製の実験用の絞り機Ｔｙｐｅ ＬＷ−１ Ｎｏ．ＬＷ−８４９の、静止したローラー及び回転するローラーの２つのローラーの間に挟まれた。サンプルが挟まれ、ローラーを通過して、過剰な含浸剤が取り除かれた後、湿潤重量（Ｗｗ）が、Ｍｅｔｔｌｅｒ ＰＥ ３６０ ｂaｌａｎｃｅを使って、すぐに測定される。その浸透され挟まれたサンプルは、その後、８０℃で約３０分間又は重量が一定になるまで乾燥オーブンに置かれた。乾燥後、処理済で乾燥させたサンプルの重量（Ｗｄ）が測定された。
【００５５】
式１を使って湿潤ピックアップパーセント（％ＷＰＵ）を最初に計算することによって、基材の処理剤の量は、重量測定的に求められた。
％ＷＰＵ＝｛（Ｗｗ−Ｗｄ）／Ｗｄ｝×１００              （式１）
ここで、
Ｗｗ＝挟んだ後の含浸サンプルの湿潤重量
Ｗｄ＝処理済サンプルの乾燥重量
【００５６】
そして、シートに付加された固体の百分率は、下記の式２を使って計算された。
％Ａｄｄ−ｏｎ＝％ＷＰＵ×溶液濃度（ｗｔ％）          （式２）
【００５７】
例えば、もし、処理溶液の固体濃度が３．８ｗｔ％で、計算された％ＷＰＵが１００％ならば、基材に付加された固体は３．８ｗｔ％である。上述の数式を使うと、０．９ｏｓｙ（３０．５ｇ／ｍ２）スパンボンドの％ＷＰＵは約１００％であり、０．５ｗｔ％のＰＨＭＢ、７．５ｗｔ％のクエン酸及び２ｗｔ％のＧｌｕｃｏｐｏｎ ２００ ＵＰを含む布を与えた。このサンプルの抗病原菌材の特質は、表５に例示される。このように処理された布は、クイックキル（液体小滴）試験の手順を使って測定すると、３０分でインフルエンザＡウイルスに対して３ｌｏｇ１０減少させるということがわかった。
【００５８】
表３  ０．９ｏｓｙ（３０．５ｇ／ｍ２）スパンボンドの処理−クイックキル（液体小滴）試験（１０分接触）
【表３】
2009505788.tif 000007
【００５９】
表４  処理済０．９ｏｓｙ（３０．５ｇ／ｍ２）スパンボンド−クイックキル（液体小滴）試験
【表４】
2009505788.tif 000008
【００６０】
表５  処理済０．９ｏｓｙ（３０．５ｇ／ｍ２）スパンボンド−クイックキル（液体小滴）試験
【表５】
2009505788.tif 000009
【００６１】
表６  処理済０．９ｏｓｙ（３０．５ｇ／ｍ２）スパンボンド−エアロゾル試験
【表６】
2009505788.tif 000010
【００６２】
表７  複合マスクの外層としての処理済０．９ｏｓｙ（３０．５ｇ／ｍ２）スパンボンド−接触移転
【表７】
2009505788.tif 000011
【００６３】
表３〜６のデータからわかるように、殺菌剤を有するフェイスマスクの基材は、急速に病原菌の増加を抑制し、制御する。このデータは、クイックキル（液体小滴）試験により測定すると、３０分以内に少なくとも１ｌｏｇ１０の規模で広範囲の微生物の濃度が減少したことを示す。より詳細には、病原菌の濃度は、３０分以内に３ｌｏｇ１０の率で減少する（すなわち、物質のグラムあたりのコロニー形成単位（ＣＦＵ／ｇ）で１０３分の１に減少）という結果だった。さらに詳細には、病原菌の濃度は、３０分以内に４ｌｏｇ１０又はそれ以上の率で減少するという結果だった。同様に、殺菌剤を有する０．９スパンボンドの外面材を含む複合フェイスマスクは、広範囲の微生物の接触移転を防いだ。このデータは、接触移転の手順によって測定すると、生存する微生物の移転が少なくとも３ｌｏｇ１０の規模で減少したことを示す。
【００６４】
本発明を、ある好適実施形態に関連付けて記述してきたが、本発明が包含する対象はこれらの特別な実施形態に限定されるものではないと理解されるべきである。それどころか、本発明の対象は、特許請求の範囲の精神と範囲の中に含まれうるようなすべての代替形態、変形形態及び均等形態を含むことが意図される。
【図面の簡単な説明】
【００６５】
【図１】内表面に配置された吸収性成分を持つ１つの好適実施形態によるフェイスマスクの斜視図である。
【図２】使用者に着用された状態を示す図１のフェイスマスクの斜視図である。
【図３】図１のフェイスマスクの背面図である。
【図４】複数の層で作られたマスクを示す本体の切り取り図である。
【図１】
2009505788.tif 000012
【図２】
2009505788.tif 000013
【図３】
2009505788.tif 000014
【図４】
2009505788.tif 000015
【国際調査報告】
2009505788.tif 000016
2009505788.tif 000017
2009505788.tif 000018
2009505788.tif 000019
2009505788.tif 000020
2009505788.tif 000021
2009505788.tif 000022